(57)【要約】【課題】安全性、防犯性が高く、かつ操作しやすい電子錠を提供する。【解決手段】登録された暗証番号と入力した開錠番号を照合して開錠または施錠を行う電子錠であって、電子錠の状態を表示する電子錠状態表示手段と、暗証番号及び開錠番号を入力するボタン入力手段と、ボタン入力タイミングを表示するボタン入力タイミング表示手段と、防犯ブザーと、を有し、前記電子錠状態表示手段と、ボタン入力手段と、ボタン入力タイミング表示手段と、防犯ブザーと、暗証番号と開錠番号を照合して開錠または施錠と、を制御する制御手段を備えたことを特徴とする電子錠。【選択図】図１
2011063991.tif 000002
【特許請求の範囲】
【請求項１】
登録された暗証番号と入力した開錠番号を照合して開錠または施錠を行う電子錠であって、電子錠の状態を表示する電子錠状態表示手段と、暗証番号及び開錠番号を入力するボタン入力手段と、ボタン入力タイミングを表示するボタン入力タイミング表示手段と、防犯ブザーと、を有し、前記電子錠状態表示手段と、ボタン入力手段と、ボタン入力タイミング表示手段と、防犯ブザーと、暗証番号と開錠番号を照合して開錠または施錠と、を制御する制御手段を備えたことを特徴とする電子錠。
【請求項２】
電子錠状態表示手段は４桁の７セグメントのＬＥＤ表示素子を備えたことを特徴とする請求項１記載の電子錠。
【請求項３】
電子錠状態表示手段を用いて入力する暗証番号と開錠番号を表示することを特徴とする請求項１または２に記載の電子錠
【請求項４】
ボタン入力手段は複数のボタンスイッチを有することを特徴とする請求項１から３のいずれかに記載の電子錠。
【請求項５】
暗証番号と開錠番号の入力タイミングは、予め設定された時間内に行われるように決定されることを特徴とする請求項１から４のいずれかに記載の電子錠。
【発明の詳細な説明】
【技術分野】
【０００１】
本発明は、安全性、防犯性が高く、操作しやすい電子錠に関する。
【背景技術】
【０００２】
テンキーを用いて、例えば４桁の暗証番号を入力し、それが予め登録された番号と照り合いし、一致した時には開錠される電子錠は良く知られている。しかし、このような電子錠は、暗証番号として使うキーだけ良く汚れてしまい、暗証番号が分かってしまうという問題があった。
【０００３】
そこで、安全性の高い電子錠が提案された。これは、オンオフ可能な複数のスイッチを用いて暗証番号を登録、暗証番号を入力する電子錠であり、容易にキーの汚れ具合から暗証番号を推定できないようにした（特許文献１）。
【０００４】
しかしながら、不正の暗証番号入力に対する防犯対策やユーザ側からみて、今の電子錠は開錠状態か施錠状態か一見わかりにくく、実際の電子錠の出力につながる制御対象、つまり物理的なドアや鍵を確認しなければならないという問題があり、制御対象と電子錠が空間的に離れた場所にある場合、制御対象の開閉状況がわからなく、このような電子錠は操作しやすいとはいえない。
【先行技術文献】
【特許文献】
【０００５】
【特許文献１】特開２００１−２９５５２０号公報
【発明の概要】
【発明が解決しようとする課題】
【０００６】
本発明は、このような状況に鑑みてなされたものであり、安全性、防犯性が高く、かつ操作しやすい電子錠を提供することを目的とする。
【課題を解決するための手段】
【０００７】
上記の目的を達成するために本発明の請求項１は、登録された暗証番号と入力した開錠番号を照合して開錠または施錠を行う電子錠であって、電子錠の状態を表示する電子錠状態表示手段と、暗証番号及び開錠番号を入力するボタン入力手段と、ボタン入力タイミングを表示するボタン入力タイミング表示手段と、防犯ブザーと、を有し、前記電子錠状態表示手段と、ボタン入力手段と、ボタン入力タイミング表示手段と、防犯ブザーと、暗証番号と開錠番号を照合して開錠または施錠と、を制御する制御手段を備えたことを特徴とする電子錠である。
【０００８】
本発明の請求項２は、電子錠状態表示手段は４桁の７セグメントのＬＥＤ表示素子を備えたことを特徴とする請求項１記載の電子錠である。
【０００９】
本発明の請求項３は、電子錠状態表示手段を用いて入力する暗証番号と開錠番号を表示することを特徴とする請求項１または２に記載の電子錠である。
【００１０】
本発明の請求項４は、ボタン入力手段は複数のボタンスイッチを有することを特徴とする請求項１から３のいずれかに記載の電子錠である。
【００１１】
本発明の請求項５は、暗証番号と開錠番号の入力タイミングは、予め設定された時間内
に行われるように決定されることを特徴とする請求項１から４のいずれかに記載の電子錠である。
【発明の効果】
【００１２】
本発明によれば、安全性、防犯性が高く、操作しやすい電子錠を提供することができる。
【図面の簡単な説明】
【００１３】
【図１】本発明に係る電子錠の概略構成の一例を示す図。
【図２】本発明に係る電子錠の全体回路構成を示すブロック図。
【図３】本発明に係る電子錠状態遷移フローチャート。
【図４】本発明に係る電子錠初期状態での７セグメント及びＬＥＤ表示を示す図。        （ａ）は４桁７セグメントの表示を示す図。        （ｂ）はＬＥＤの８個の点灯状態を示す図。
【図５】本発明に係る電子錠の暗証番号登録状態及び開錠番号入力状態時の７セグメント及びＬＥＤ表示を示す図。        （ａ）は４桁７セグメントにより随時各桁の番号を表示した状態を示す図。        （ｂ）は８個のＬＥＤを全点灯状態から、左から右へ順番に消灯していく状態を示す図。
【図６】本発明に係る電子錠のＯＰＥＮ状態及びＣＬＯＳＥ状態時を示す４桁７セグメント及びＬＥＤ表示を示す図。        （ａ）は４桁７セグメントの表示を示す図。        （ｂ）はＬＥＤの８個の点灯状態を示す図。
【発明を実施するための形態】
【００１４】
以下、本発明の実施形態を図面に基づき詳細に説明する。図１は本発明に係る電子錠の概略構成の一例を示す図である。
【００１５】
電子錠１は外部電源より駆動され、外部の制御対象であるドアや鍵などの施錠または開錠を制御するものである。電子錠１は、電子錠状態や暗証番号及び開錠番号を表示する電子錠状態表示手段である４桁の７セグメントＬＥＤ２と、暗証番号の登録や開錠番号の入力に使用されるボタン入力手段である複数のボタンスイッチＡ５、Ｂ６、Ｃ７と、ボタン入力のタイミング確認用に使用されるボタン入力タイミング表示手段である８個のＬＥＤ３と、不正な暗証番号を入力したときに駆動する防犯ブザー４、とを有しており、前記電子錠状態表示手段と、ボタン入力手段と、ボタン入力タイミング表示手段と、防犯ブザーと、開錠番号を照合して開錠または施錠と、を制御する制御手段（図示せず）を備えている。
【００１６】
図２は電子錠の全体回路構成を示すブロック図である。制御手段である制御デバイス１４には、クロック生成部８、処理部９、７セグメント駆動回路１０、ＬＥＤ点灯駆動回路１１、ブザー鳴動回路１２、外部制御対象施開錠駆動回路１３により構成されている。制御デバイス１４は、マイコンやＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍａｂｌｅ  Ｇａｔｅ  Ａｒｒａｙ）などを搭載したボードを使用することができるが、実施例ではＦＰＧＡを搭載したボードを用いた場合を例示している。ＦＰＧＡ搭載のボードを使用する場合、図２の点線内の論理回路構成部分がＦＰＧＡ内部で構成される。ＦＰＧＡ利用の利点としては、プログラマブル可能なデバイスであるため、将来に電子錠の機能拡張がやりやすいためである。
【００１７】
電子錠のボタンスイッチＡ５、Ｂ６、Ｃ７による状態遷移図のフローチャートを図３に
示す。これに基づいて、電子錠の操作及び動作について詳しく説明する。
【００１８】
電子錠に外部電源から電流が流れると、図示しないデバイス内部の記憶装置に書き込まれたプログラムが実行され、電子錠は初期状態３０１になる。初期状態３０１とは、暗証番号登録待ち状態である。初期状態３０１では、図４（ａ）に示すように４桁７セグメント２のそれぞれが、１つのマスのみ点灯し、逆時計方向に一定間隔（例えば１００ｍｓ）で、順番に点灯する。人間の目からみれば、数字の０がちらついているように見える。同時に、図４（ｂ）に示されるように、ＬＥＤ３の８個のＬＥＤ球も右側から左側へ、繰返して一定間隔（例えば１００ｍｓ）おきに、順番に点灯または消灯する。このような表示状態により、ユーザ側からは一見して電子錠の現状態は初期状態３０１であることが判断できる。初期状態３０１で、ボタンスイッチＡ５を１回押せば、暗証番号登録状態３０２に移行する。
【００１９】
暗証番号登録状態３０２では、ボタンスイッチＡ５とＢ６を使って、全４桁の暗証番号を順番に登録する。ボタンスイッチＡ５は番号選択に使用され、１回押すたびに、数値は０から９に、順番にカウントアップし、９の次は０に戻る。いわゆる、回路構成的には１０進カウンタの機能をもつ。登録したい数値のところで、ボタンスイッチＢ６を１回押すと、その桁の暗証番号がその数値となり、次の桁の暗証番号登録へ移行する。このように、順番にボタンスイッチＡ５で登録したい暗証番号の数値を選択し、ボタンスイッチＢ６でその数値の登録をしていき、全４桁の暗証番号の登録をおこなう。例えば暗証番号を４５３０と登録したい場合、まず、ボタンスイッチＡを押さずに、ボタンスイッチＢ６を１回押すと、０数値がこの桁の暗証番号として登録し、次の桁の暗証番号登録へ移行する。次に、ボタンスイッチＡ５を３回押し、数値を３になるようにして、ボタンスイッチＢ６を１回押すと、今度はこの桁で数値３が暗証番号として登録される。続いて、ボタンスイッチＡ５を５回押し、ボタンスイッチＢ６を１回押し、ボタンスイッチＡ５を４回押し、ボタンスイッチＢ６を１回押すと、全４桁の暗証番号４５３０が登録できる。暗証番号登録状態では、選択された番号に対して、図５（ａ）で示されるように、４桁７セグメント２により随時各桁の番号を表示する。また、一定時間間隔（例えば８ｓ）にボタンスイッチＡ５とＢ６の入力が無ければ、電子錠は既に入力された番号を無効と認識して、初期状態３０１に戻る。これにより、暗証番号の登録間違いを登録途中でも修正できるようにしている。この暗証番号の入力の一定時間間隔、即ち暗証番号の入力タイミングは、予め設定された時間内（上記の場合は８ｓ）に行われるように決定される。一定時間間隔をユーザ側から分かるように、図５（ｂ）に示されるようにＬＥＤ３の８個のＬＥＤを全点灯状態から、左から右へ順番に１ｓ毎に消灯していき、ユーザに注意を呼びかける。そこで、最後のＬＥＤ球まで消灯すると、電子錠は初期状態３０１に戻る。この一定間隔の間に、ボタンスイッチＡ５かＢ６の操作があれば、今までの経過時間カウント値はクリアされ最初に戻って無操作時間を再カウントする。全４桁の暗証番号を全部登録した時点で、もう１回ボタンスイッチＢ６を押すと、暗証番号決定と見なされ、制御デバイスのメモリに暗証番号を記憶させる。暗証番号が決定すると、電子錠はＯＰＥＮ状態３０３に移行し、同時に外部制御対象に開錠信号を送る。
【００２０】
ＯＰＥＮ状態３０３では、図６（ａ）で示されるように４桁の７セグメント２より電子錠の状態を表示する。また、ＬＥＤ３の８個のＬＥＤ球も全消灯する。ＯＰＥＮ状態３０３では、ボタンスイッチＣ７を押すと、ＣＬＯＳＥ状態３０４に移行し、外部制御対象に施錠信号を送る。また、ＯＰＥＮ状態３０３で、ボタンスイッチＢ６を押すと、初期状態３０１に戻り、新しく暗証番号を登録することもできる。
【００２１】
ＣＬＯＳＥ状態３０４では、図６（ｂ）で示されるように４桁の７セグメント２より電子錠の状態を表示する。また、ＬＥＤ３の８個のＬＥＤ球も全点灯する。ＣＬＯＳＥ状態３０４では、ボタンスイッチＡ５を１回押せば、開錠番号入力状態３０５に移行する。
【００２２】
開錠番号入力状態３０５では、同じくボタンスイッチＡ５とＢ６を使って、全４桁の開錠番号を入力する。このときも、暗証番号登録状態３０２と操作が同じである。図５（ａ）で示されるように、４桁７セグメント２により各桁の番号を表示する。また、一定時間間隔（例えば８ｓ）にボタンスイッチＡ５とＢ６の入力が無ければ、電子錠は既に入力された開錠番号を無効と認識して、ＣＬＯＳＥ状態３０４に戻る。これにより、開錠番号の入力間違いを入力途中でも修正できるようにしている。一定時間間隔をユーザ側から分かるように、図５（ｂ）に示されるようにＬＥＤ３の８個のＬＥＤを全点灯状態から、左から右へ順番に１ｓ毎に消灯していき、ユーザに注意を呼びかける。そこで、最後のＬＥＤ球まで消灯すると、電子錠はＣＬＯＳＥ状態３０４に戻る。この一定間隔の間に、ボタンスイッチＡ５かＢ６の操作があれば、今までの経過時間カウント値はクリアされ最初に戻って無操作時間を再カウントする。全４桁の勘定番号を全部入力した時点で、もう１回ボタンスイッチＢ６を押すと、開錠番号決定と見なされ、番号照合状態３０６に移行する。
【００２３】
番号照合状態３０６では、決定された開錠番号とメモリに記憶された暗証番号を照り合い、同じであれば、ＯＰＥＮ状態３０３に移行し、外部制御対象に開錠信号を送る。もし、開錠番号と暗証番号が違うなら、ブザー鳴動駆動回路に信号を送り、防犯ブザー４を一定時間（例えば１０ｓ）鳴らし、その後ＣＬＯＳＥ状態３０４に移行する。この時、外部制御対象には信号を送らないため、外部制御対象は施錠されたままとなる。
【００２４】
電子錠の処理部９では、前述の各一定間隔時間計測に使用するカウンタ回路が含まれる。これらカウンタ回路の駆動クロックは、クロック生成部８より提供される。また、処理部９には、ボタンスイッチを押すときに発生するチャタリングを防止する回路も含まれている。
【００２５】
本発明により、安全性、防犯性が高く、７セグメントとＬＥＤ表示により操作しやすい電子錠の提供ができる。  
【符号の説明】
【００２６】
１…電子錠
２…４桁７セグメント
３…８個のＬＥＤ
４…防犯ブザー
５…スイッチＡ
６…スイッチＢ
７…スイッチＣ
８…クロック生成部
９…処理部
１０…７セグメント駆動回路
１１…ＬＥＤ点灯駆動回路
１２…ブザー鳴動駆動回路
１３…外部制御対象施または開錠駆動回路
１４…制御デバイス
３０１…初期状態
３０２…暗証番号登録状態
３０３…ＯＰＥＮ状態
３０４…ＣＬＯＳＥ状態
３０５…開錠番号入力状態
３０６…番号照合状態
【図１】
2011063991.tif 000003
【図２】
2011063991.tif 000004
【図３】
2011063991.tif 000005
【図４】
2011063991.tif 000006
【図５】
2011063991.tif 000007
【図６】
2011063991.tif 000008